(57)【要約】  携帯機器は、各々異なる特定方向に指向性を持つ音を出力する複数のパラメトリックスピーカと、携帯機器の姿勢を検出する姿勢検出部と、この姿勢検出部により検出された姿勢情報に基づいて、出力音の指向性の方向が所定方向の所定角度範囲内に含まれるパラメトリックスピーカを複数のパラメトリックスピーカの中から選択し、選択されたパラメトリックスピーカのみに所定の通知音を出力させる選択部と、を備える。
2013008386.tif 000002
【特許請求の範囲】
【請求項１】
各々異なる特定方向に指向性を持つ音を出力する複数のパラメトリックスピーカと、
携帯機器の姿勢を検出する姿勢検出部と、
前記姿勢検出部により検出された姿勢情報に基づいて、出力音の指向性の方向が所定方向の所定角度範囲内に含まれるパラメトリックスピーカを前記複数のパラメトリックスピーカの中から選択し、選択されたパラメトリックスピーカのみに所定の通知音を出力させる選択部と、
を備える携帯機器。
【請求項２】
前記選択部は、前記各パラメトリックスピーカに関する出力音の指向性の方向と前記携帯機器の基準姿勢との対応関係情報を取得し、該対応関係情報と、前記姿勢検出部により検出された姿勢情報とに基づいて、前記各パラメトリックスピーカに関する出力音の指向性の現在方向をそれぞれ算出し、該算出結果を用いて前記パラメトリックスピーカの選択を行う、
請求項１に記載の携帯機器。
【請求項３】
音以外の通知形態を出力する出力部を更に備え、
前記選択部は、出力音の指向性の方向が前記所定方向の前記所定角度範囲内に含まれるパラメトリックスピーカが存在しない場合には、前記出力部に出力させる、
請求項１又は２に記載の携帯機器。
【請求項４】
前記出力部は、音以外の通知形態として振動又は光を出力する、
請求項３に記載の携帯機器。
【請求項５】
各々異なる特定方向に指向性を持つ音を出力する複数のパラメトリックスピーカを備える携帯機器により実行される通知音出力方法において、
前記携帯機器の姿勢を検出し、
前記検出された姿勢情報に基づいて、出力音の指向性の方向が所定方向の所定角度範囲内に含まれるパラメトリックスピーカを前記複数のパラメトリックスピーカの中から選択し、
前記選択されたパラメトリックスピーカのみに所定の通知音を出力させる、
ことを含む通知音出力方法。
【請求項６】
各々異なる特定方向に指向性を持つ音を出力する複数のパラメトリックスピーカを備える携帯機器により実行されるプログラムにおいて、
前記携帯機器の姿勢を検出し、
前記検出された姿勢情報に基づいて、出力音の指向性の方向が所定方向の所定角度範囲内に含まれるパラメトリックスピーカを前記複数のパラメトリックスピーカの中から選択し、
前記選択されたパラメトリックスピーカのみに所定の通知音を出力させる、
ことを前記携帯機器に実行させるプログラム。
【発明の詳細な説明】
【技術分野】
【０００１】
本発明は、携帯機器における通知音出力技術に関する。
【背景技術】
【０００２】
携帯電話の利用者は、使用場所等に応じて所望の着信通知方法を携帯電話に設定している。例えば、通常使用時には、好きな着信音や音楽が利用され、マナーモード時にはバイブレータが利用される。【０００３】
しかしながら、着信通知で設定された音や音声は、携帯電話に搭載されたスピーカから出力されるため、周囲の人に不快感を与える場合がある。これを避けるために、出力音量を下げると、利用者が着信通知に気づかない可能性が高くなる。一方、バイブレータが利用される場合にも、利用者がその振動に気づかない場合がある。着信通知に利用者が気づかない場合、電話を携帯しているにも関わらず応答できないことになる。このような課題を解決すべき手法が以下の文献で提案されている。
【先行技術文献】
【特許文献】
【０００４】
【特許文献１】特開平１０−３０８９８０号公報
【特許文献２】特開２００７−９６８６１号公報
【特許文献３】特開２０００−１５２３２３号公報
【特許文献４】特開平１１−２７５１８３号公報
【特許文献５】特開２００８−０３５４２９号公報
【特許文献６】特開２００８−０４７９４７号公報
【発明の概要】
【０００５】
上述のような各着信通知方法は次のような問題点をそれぞれ持つ。
例えば、バイブレータを用いた着信通知では、周囲の人に不快感を与えることは少ないが、触感による通知のため、個人差や端末と利用者との接触状態によって、利用者が気が付かない場合が多い。従来のスピーカを用いた着信通知では、上述したように、周囲の人にも音が聞こえてしまい、不快感を与える可能性がある。
【０００６】
ところで、スピーカには、パラメトリックスピーカと呼ばれる超指向性スピーカがある。パラメトリックスピーカは、特定方向に鋭い指向性を持たせることができる超音波スピーカである。従って、携帯電話にこのパラメトリックスピーカを搭載することにより、着信通知音を周囲に漏れ難くすることが考えられる。しかしながら、このような形態（パラメトリックスピーカ搭載）を採用した場合、その指向性の方向によっては、利用者に音が聞こえない場合があり得る。
【０００７】
本発明は、上述のような事項に鑑みてなされたものであり、他人に不快感を与えることなく、利用者に確実に認識させる携帯機器における通知音出力技術を提供する。
【０００８】
本発明の各態様では、上述した課題を解決するために、それぞれ以下の構成を採用する。
【０００９】
第１の態様は、携帯機器に関する。第１の態様に係る携帯機器は、各々異なる特定方向に指向性を持つ音を出力する複数のパラメトリックスピーカと、携帯機器の姿勢を検出する姿勢検出部と、この姿勢検出部により検出された姿勢情報に基づいて、出力音の指向性の方向が所定方向の所定角度範囲内に含まれるパラメトリックスピーカを複数のパラメトリックスピーカの中から選択し、選択されたパラメトリックスピーカのみに所定の通知音を出力させる選択部と、を備える。
【００１０】
第２の態様は、各々異なる特定方向に指向性を持つ音を出力する複数のパラメトリックスピーカを備える携帯機器により実行される通知音出力方法である。第２の態様に係る通知音出力方法は、携帯機器の姿勢を検出し、検出された姿勢情報に基づいて、出力音の指向性の方向が所定方向の所定角度範囲内に含まれるパラメトリックスピーカを複数のパラメトリックスピーカの中から選択し、選択されたパラメトリックスピーカのみに所定の通知音を出力させる、ことを含む。
【００１１】
第３の態様は、各々異なる特定方向に指向性を持つ音を出力する複数のパラメトリックスピーカを備える携帯機器により実行されるプログラムである。第３の態様に係るプログラムは、携帯機器の姿勢を検出し、検出された姿勢情報に基づいて、出力音の指向性の方向が所定方向の所定角度範囲内に含まれるパラメトリックスピーカを複数のパラメトリックスピーカの中から選択し、選択されたパラメトリックスピーカのみに所定の通知音を出力させる、ことを上記携帯機器に実行させる。
【００１２】
なお、本発明の別態様としては、上記第３の態様に係るプログラムを記録したコンピュータが読み取り可能な記録媒体であってもよい。この記録媒体は、非一時的な有形の媒体を含む。
【００１３】
上記各態様によれば、他人に不快感を与えることなく、利用者に確実に認識させる携帯機器における通知音出力技術を提供することができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】図１は、本実施形態における携帯電話装置の構成例を概念的に示す図である。
【図２】図２は、本実施形態における携帯電話装置とパラメトリックスピーカが出力する音の指向性との関係を概念的に示す図である。
【図３】図３は、本実施形態における携帯電話装置の動作例を示すフローチャートである。
【図４】図４は、本実施形態における携帯電話装置の利用形態の第１例を示す図である。
【図５】図５は、本実施形態における携帯電話装置の利用形態の第２例を示す図である。
【図６】図６は、本実施形態における携帯電話装置の利用形態の第３例を示す図である。
【発明を実施するための形態】
【００１６】
以下、本発明の実施の形態について説明する。なお、以下に挙げる実施形態は例示であり、本発明は以下の実施形態の構成に限定されない。
【００１７】
〔装置構成〕
図１は、本実施形態における携帯電話装置１の構成例を概念的に示す図である。本実施形態における携帯電話装置１は、図１に示されるように、センサ２、信号処理部３、着信通知方法選択部（以降、単に選択部とも表記する）４、複数のパラメトリックスピーカ５（＃１）、（＃２）及び（＃３）等を有する。信号処理部３及び選択部４は、ハードウェア構成要素、ソフトウェア構成要素、又は、これらの組み合わせにより実現される。ハードウェア構成要素とは、例えば、フィールド・プログラマブル・ゲートアレイ（ＦＰＧＡ）、特定用途向け集積回路（ＡＳＩＣ）、信号処理回路等のようなハードウェア回路である。ソフトウェア構成要素とは、１又は複数のメモリ上のデータ（プログラム）が１又は複数のプロセッサ（例えば、ＣＰＵ（Central Processing Unit）、ＤＳＰ（Digital Signal Processor）等）で実行されることにより実現される、タスク、プロセス、関数のようなソフトウェア部品（断片）である。
【００１８】
パラメトリックスピーカ５（＃１）、（＃２）及び（＃３）は、各々異なる特定方向に指向性を持つ音を出力する。図２は、本実施形態における携帯電話装置１とパラメトリックスピーカ５が出力する音の指向性との関係を概念的に示す図である。図２に示されるように、パラメトリックスピーカ５（＃１）は、Ｚ方向に指向性を持つ音を出力する。パラメトリックスピーカ５（＃２）は、Ｘ方向に指向性を持つ音を出力する。パラメトリックスピーカ５（＃３）は、Ｙ方向に指向性を持つ音を出力する。図２に示されるＸ方向、Ｙ方向及びＺ方向は、携帯電話装置１の基準姿勢に対する方向であり、携帯電話装置１の姿勢に応じて変わる相対的な方向である。なお、図１及び図２では、携帯電話装置１に３つのパラメトリックスピーカ５（＃１）、（＃２）及び（＃３）が搭載される例が示されるが、パラメトリックスピーカ５は複数（２以上）搭載されれば、その数は制限されない。
【００１９】
バイブレータ８は、携帯電話装置１の筐体を振動させる。
【００２０】
センサ２は、携帯電話装置１の姿勢をセンシングする。センサ２は、例えば、地軸センサである。なお、本実施形態は、携帯電話装置１の姿勢がセンシングされれば、センサ２の実現形態を制限しないため、センサ２は、加速度センサ、磁気センサ等の組み合わせであってもよい。
【００２１】
信号処理部３は、センサ２からの検出信号を解析処理し、携帯電話装置１の姿勢を示す姿勢情報を生成する。この姿勢情報は、携帯電話装置１の向きを示し、この姿勢情報が示す方向は絶対的な方向を示す。センサ２及び信号処理部３が本発明の姿勢検出部に相当する。
【００２２】
選択部４は、信号処理部３により生成された姿勢情報に応じた着信通知方法を選択する。本実施形態における携帯電話装置１には、図１に示されるように、複数のパラメトリックスピーカ５の少なくとも１つから所望の通知音を出力する方法とバイブレータ８を振動させる方法とが設けられている。選択部４は、その２つの方法を切り替え、かつ、前者の方法の場合には当該通知音を出力させるパラメトリックスピーカ５を切り替える。
【００２３】
具体的には、選択部４は、次のような処理を行う。まず、選択部４は、信号処理部３から送られる携帯電話装置１の姿勢情報（向き情報）に基づいて、各パラメトリックスピーカ５（＃１）、（＃２）及び（＃３）から出力される音の指向性の方向をそれぞれ算出する。以降、各パラメトリックスピーカ５（＃１）、（＃２）及び（＃３）から出力される音の指向性の方向については、各パラメトリックスピーカ５の放音方向と表記する場合もある。
【００２４】
現在の各パラメトリックスピーカ５の放音方向は、例えば、次のように取得される。携帯電話装置１の基準となる姿勢（向き）と各パラメトリックスピーカ５の放音方向（Ｘ方向、Ｙ方向及びＺ方向）との対応関係情報が予め保持されており、選択部４は、この対応関係情報と信号処理部３から送られる姿勢情報とに基づいて、携帯電話装置１に関する現在姿勢と基準姿勢との差異を各パラメトリックスピーカ５の放音方向に反映させることにより、各パラメトリックスピーカ５（＃１）、（＃２）及び（＃３）の放音方向をそれぞれ算出する。
【００２５】
次に、選択部４は、複数のパラメトリックスピーカ５の中に、出力音の指向性の方向が所定方向の所定角度範囲内に含まれるものが存在するか否かを判定する。選択部４は、該当するパラメトリックスピーカ５が存在する場合には、出力音の指向性の方向が所定方向の所定角度範囲内に含まれる少なくとも１つのパラメトリックスピーカ５を選択し、選択されたパラメトリックスピーカ５のみに所定の通知音を出力させる。一方、選択部４は、該当するパラメトリックスピーカ５が存在しない場合には、バイブレータ８を起動させる。
【００２６】
上記所定方向及び上記所定角度範囲に関する情報は予め調整可能に保持される。上記所定方向は例えば図２に示されるＸ方向に設定される。上記所定角度範囲は、着信通知の選択に持たせる幅を示し、パラメトリックスピーカ５の指向性の幅に基づいて決定されてもよい。また、上記所定角度範囲は０（ゼロ）に設定されてもよい。本実施形態は上記所定方向及び上記所定角度範囲を制限しない。また、上記所定方向及び上記所定角度範囲は、ユーザインタフェース画面等を介して利用者に設定変更させてもよい。
【００２７】
また、選択部４は、該当するパラメトリックスピーカ５が複数存在する場合には、上記所定方向に最も近い方向の指向性を持つ音を出力するパラメトリックスピーカ５を選択するようにしてもよいし、該当する全てのパラメトリックスピーカ５を選択するようにしてもよい。後者の場合には、選択された複数のパラメトリックスピーカ５から通知音が出力される。
【００２８】
〔動作例〕
図３は、本実施形態における携帯電話装置１の動作例を示すフローチャートである。携帯電話装置１は、メールや電話が着信されると、次のように動作する。図３の例では、上記所定方向が上方向に設定されている例が用いられる。
【００２９】
センサ２は、携帯電話装置１の姿勢（向き）を検出する（Ｓ３０）。
【００３０】
信号処理部３は、センサ２からの検出信号を解析処理し、携帯電話装置１の姿勢の検出に成功しているか否かを判定する（Ｓ３１）。なお、この判定は、センサ２により実施されてもよい。信号処理部３は、携帯電話装置１の姿勢の検出に成功している場合（Ｓ３１；Ｙ）、携帯電話装置１の姿勢情報を生成する（Ｓ３２）。一方、携帯電話装置１の姿勢の検出に失敗している場合（Ｓ３１；Ｎ）、選択部４が、着信通知のためにバイブレータ８を振動させる（Ｓ３６）。
【００３１】
選択部４は、信号処理部３からの姿勢情報を用いて、各パラメトリックスピーカ５（＃１）、（＃２）及び（＃３）の現在の放音方向をそれぞれ算出する（Ｓ３３）。
【００３２】
選択部４は、パラメトリックスピーカ５（＃１）の放音方向（図２のＺ方向）が上方向の所定角度範囲内か否かを判定する（Ｓ３４）。選択部４は、Ｚ方向が上方向の所定角度範囲内に収まる場合（Ｓ３４；Ｙ）、パラメトリックスピーカ５（＃１）を選択し、このパラメトリックスピーカ５（＃１）のみに所定の通知音を出力させる（Ｓ３８）。
【００３３】
選択部４は、Ｚ方向が所定角度範囲外にある場合（Ｓ３４；Ｎ）、パラメトリックスピーカ５（＃２）の放音方向（図２のＸ方向）が上方向の所定角度範囲内か否かを判定する（Ｓ３５）。選択部４は、Ｘ方向が上方向の所定角度範囲内に収まる場合（Ｓ３５；Ｙ）、パラメトリックスピーカ５（＃２）を選択し、このパラメトリックスピーカ５（＃２）のみに所定の通知音を出力させる（Ｓ３９）。
【００３４】
選択部４は、Ｚ方向及びＸ方向が所定角度範囲外にある場合（Ｓ３４；Ｎ及びＳ３５；Ｎ）、パラメトリックスピーカ５（＃３）の放音方向（図２のＹ方向）が上方向の所定角度範囲内か否かを判定する（Ｓ３６）。選択部４は、Ｙ方向が上方向の所定角度範囲内に収まる場合（Ｓ３６；Ｙ）、パラメトリックスピーカ５（＃３）を選択し、このパラメトリックスピーカ５（＃３）のみに所定の通知音を出力させる（Ｓ４０）。
【００３５】
選択部４は、Ｚ方向、Ｘ方向及びＹ方向が所定角度範囲外にある場合（Ｓ３４；Ｎ、Ｓ３５；Ｎ及びＳ３６；Ｎ）、着信通知のためにバイブレータ８を振動させる（Ｓ３７）。
【００３６】
〔作用及び効果〕
本実施形態では、携帯電話装置１の姿勢が検出され、検出された携帯電話装置１の姿勢に応じて各パラメトリックスピーカ５の放音方向が算出され、出力音の指向性の方向（放音方向）が所定方向の所定角度範囲内に含まれるパラメトリックスピーカ５のみから所定の通知音が出力される。
【００３７】
従って、本実施形態によれば、通知音を所定方向の所定角度範囲内にのみ放射させることができる。よって、例えば、当該所定方向が上方向又は下方向に設定された場合、当該通知音が他人に聞かれる可能性を低くすることができ、当該通知音により他人に不快感を与えることを防ぐことができる。また、当該所定方向を携帯電話装置１の利用者が存在する方向に設定すれば、利用者に確実に認識させることができる。言い換えれば、本実施形態によれば、パラメトリックスピーカ５を音出力のために利用したとしても、利用者とは全く異なる方向に通知音が出力され、利用者が気付かないといった事象を防ぐことができる。
【００３８】
図４から図６は、本実施形態における携帯電話装置１の利用形態の例をそれぞれ示す。
【００３９】
図４には、携帯電話装置１が、ネックストラップで携帯される場合（図４の（ａ））、胸ポケットに収納される場合（図４の（ｂ））、ズボンのポケットに収納される場合（図４（ｃ））が示される。図４に示されるような利用形態では、所定方向が上方向に設定されている場合、パラメトリックスピーカ５（＃３）のみから（Ｙ方向のみへ）通知音が出力されるため、利用者はその通知音を聞きやすく、かつ、その通知音で他人に迷惑を掛けることは少ない。
【００４０】
図５は、携帯電話装置１が机上等に置かれている場合が示されている。図５に示される利用形態では、所定方向が上方向に設定されている場合、パラメトリックスピーカ５（＃１）のみから（Ｘ方向のみへ）通知音が出力されるため、利用者はその通知音を聞きやすく、かつ、その通知音で他人に迷惑を掛けることは少ない。
【００４１】
図６は、携帯電話装置１が机上等に置かれている場合の別形態が示されている。図６では、パラメトリックスピーカ５（＃１）の放音方向（Ｚ方向）が下方向に向いており、放音方向が上方向を向くパラメトリックスピーカ５は存在しない。この場合、バイブレータ８の振動により着信通知が実現されるため、利用者が存在しない方向に放音され、着信に気づかないといった事象を防ぐことができる。
【００４２】
［変形例］
上述の実施形態では、携帯電話装置１が、音以外の通知形態を出力する出力部としてバイブレータ８を持つ例が示されたが、音以外の通知形態を出力する出力部としては、ＬＥＤ素子等のような光を出力する機器が設けられてもよいし、その他の通知形態を出力する処理部が設けられてもよい。
【００４３】
また、上述の実施形態では、着信通知時の処理を例に挙げたが、本発明は着信通知時の処理のみに制限しない。本発明は、着信通知のみでなく、利用者への通知や利用者の呼び出し等の処理に適用されてもよい。また、上述の実施形態では、本発明が携帯電話装置１に適用された例を示したが、本発明は、利用者への通知や利用者の呼び出し等の機能を持つ携帯機器であれば、適用機器を制限しない。
【００４４】
また、上述されたパラメトリックスピーカ５とは、特定方向に鋭い指向性を持つ音を出力可能なスピーカ（超指向性スピーカ）の意味に用いており、その他の限定事項を付与するものではない。
【００４５】
なお、上述の説明で用いたフローチャートでは、複数の工程が順番に記載されているが、本実施形態で実行される各工程の実行順序は、その記載の順番に制限されない。本実施形態では、図示される工程の順番を内容的に支障のない範囲で変更することができる。
【００４６】
この出願は、２０１１年７月１１日に出願された日本出願特願２０１１−１５２６１６号を基礎とする優先権を主張し、その開示の全てをここに取り込む。
【図１】
2013008386.tif 000003
【図２】
2013008386.tif 000004
【図３】
2013008386.tif 000005
【図４】
2013008386.tif 000006
【図５】
2013008386.tif 000007
【図６】
2013008386.tif 000008
【国際調査報告】
2013008386.tif 000009
2013008386.tif 000010